(57)【要約】      （修正有）【課題】遊技機に改竄等があったか否かを簡単に検査できると共に既に行った検査過去データも簡単に知ることができる遊技機の改竄検査システムを提供する。【解決手段】パチンコ機１０の基板収容ケース１６にはＩＣタグ２２が貼付されている。ＩＣタグ２２はアンテナ部２６とＩＣチップを有している。このＩＣチップに記録された情報はＩＣ読取書込携帯端末３０で読み取ることができ、また、ＩＣチップに情報をＩＣ読取書込携帯端末３０で書き込んで記録できるようになっている。ＩＣ読取書込携帯端末３０にはディスプレー部３２が形成されている。このディスプレー部３２にはＩＣ読取書込携帯端末３０が読み取った情報やＩＣ読取書込携帯端末３０でＩＣタグ２２に書き込んだ情報が表示されるようになっている。【選択図】図１
0003138463.tif 000002
【実用新案登録請求の範囲】
【請求項１】
遊技機の改竄検査を行う遊技機の改竄検査システムであって、前記遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、を有してなることを特徴とする遊技機の改竄検査システム。
【請求項２】
遊技機の改竄検査を行う遊技機の改竄検査システムであって、前記遊技機の基板収容ケースに取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、を有してなることを特徴とする遊技機の改竄検査システム。
【請求項３】
遊技機の改竄検査を行う遊技機の改竄検査システムであって、前記遊技機の基板収容ケースに取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、この情報携帯端末に形成されると共に情報携帯端末が前記ＩＣチップに記録された情報を読み取るとその情報が表示されるディスプレー部と、を有してなることを特徴とする遊技機の改竄検査システム。
【請求項４】
遊技機の改竄検査を行う遊技機の改竄検査システムであって、前記遊技機の基板収容ケースのケース本体とケース蓋に跨って取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、この情報携帯端末に形成されると共に情報携帯端末が前記ＩＣチップに記録された情報を読み取るとその情報が表示されるディスプレー部と、を有してなることを特徴とする遊技機の改竄検査システム。
【請求項５】
遊技機の改竄検査を行う遊技機の改竄検査システムであって、前記遊技機の基板収容ケースに巻き付けられた結束バンドと、この結束バンドに設けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、この情報携帯端末に形成されると共に情報携帯端末が前記ＩＣチップに記録された情報を読み取るとその情報が表示されるディスプレー部と、を有してなることを特徴とする遊技機の改竄検査システム。
【請求項６】
前記通信回路体をＩＣタグにしたことを特徴とする請求項１、請求項２、請求項３、請求項４、請求項５記載の遊技機の改竄検査システム。
【考案の詳細な説明】
【技術分野】
【０００１】  本考案は、パチンコ機等の遊技機を改竄する目的等で前記遊技機に取り付けられたＩＣタグを取り外す等した場合にその事実を簡単に知ることができると共に改竄検査の検査過去データも知ることができる遊技機の改竄検査システムに関する。
【背景技術】
【０００２】  パチンコ機にはパチンコ機のゲーム全般をコントロールする制御部としての制御基板が基板収容ケースに収容された状態で配設されている。この制御基板にはパチンコ機の大当たり等を決定する重要なプログラムが記録されたＲＯＭ（Ｒｅａｄ  Ｏｎｌｙ  Ｍｅｍｏｒｙの省略）が取り付けられている。
このため、不正行為者が前記基板収容ケースを開けて正規のＲＯＭを取り外して用意した改竄ＲＯＭに交換して当該パチンコ機のゲームをコントロールして多くの出玉を獲得するという不正行為が可能となっている。
しかし、このような改竄ＲＯＭに交換する等の改竄行為があってもパチンコ店側はパチンコ機の基板収容ケースの外側からＲＯＭを見て当該ＲＯＭが正規のＲＯＭであるか改竄ＲＯＭであるかを目で見てパチンコ機の改竄を見つけなければならず、前記改竄行為を見つけるのは困難である。
そこで、上記改竄行為を簡単に見つけられるようにＩＣタグとＩＣ読取チェッカーを組み合わせてなる改竄検査システムが提案されている。
この改竄検査システムは前記基板収容ケースのケース本体とケース蓋に跨るようにＩＣタグを貼付しておいてＩＣ読取チェッカーをＩＣタグに翳してＩＣ読取チェッカーがＩＣタグのＩＣチップに記録されている情報を読み取れるか否かで改竄行為があったか否かを検査するシステムである。
しかし、この改竄検査システムはパチンコ機の改竄を検査することはできるが、過去に検査した日時や検査担当者等の検査過去データを知ることができないという不具合がある。
【考案の開示】
【考案が解決しようとする課題】
【０００３】  本考案は、上記事実に鑑みなされたものであり、遊技機に改竄等の不正行為があったか否かを簡単に検査することができると共に検査の検査過去データも簡単に知ることができる遊技機の改竄検査システムを提供するものである。
【課題を解決するための手段】
【０００４】  請求項１の考案は、遊技機の改竄検査を行う遊技機の改竄検査システムであって、前記遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、を有してなることを特徴としている。
請求項２の考案は、遊技機の改竄検査を行う遊技機の改竄検査システムであって、前記遊技機の基板収容ケースに取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、を有してなることを特徴としている。
請求項３の考案は、遊技機の改竄検査を行う遊技機の改竄検査システムであって、前記遊技機の基板収容ケースに取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、この情報携帯端末に形成されると共に情報携帯端末が前記ＩＣチップに記録された情報を読み取るとその情報が表示されるディスプレー部と、を有してなることを特徴としている。
請求項４の考案は、遊技機の改竄検査を行う遊技機の改竄検査システムであって、前記遊技機の基板収容ケースのケース本体とケース蓋に跨って取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、この情報携帯端末に形成されると共に情報携帯端末が前記ＩＣチップに記録された情報を読み取るとその情報が表示されるディスプレー部と、を有してなることを特徴としている。
請求項５の考案は、遊技機の改竄検査を行う遊技機の改竄検査システムであって、前記遊技機の基板収容ケースに巻き付けられた結束バンドと、この結束バンドに設けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる情報携帯端末と、この情報携帯端末に形成されると共に情報携帯端末が前記ＩＣチップに記録された情報を読み取るとその情報が表示されるディスプレー部と、を有してなることを特徴としている。
請求項６の考案は、前記通信回路体をＩＣタグにしたことを特徴としている。
【考案の効果】
【０００５】  本考案は、遊技機を改竄しようとして遊技機に取り付けられている通信回路体を取り外す等の不正行為を簡単に検査することができると共に遊技機の改竄検査の検査過去データも簡単に知ることができるという優れた効果を有する。
【考案を実施するための最良の形態】
【０００６】  考案を実施するために最良の形態の例として以下のような実施例を示す。
【実施例１】
【０００７】  図１及び図２には本考案に係る遊技機の改竄検査システムの第１実施例が示されている。なお、この実施例では遊技機の改竄検査システムを遊技機としてのパチンコ機に使用する場合を例にして説明する。
図１に示されるように、遊戯機としてのパチンコ機１０の遊技盤１２の背面に固定されたボックス体１４には適宜手段を介して基板収容ケース１６が配設固定されている。
この基板収容ケース１６はケース本体１６Ａとケース蓋１６Ｂで構成されている。また、このケース本体１６Ａとケース蓋１６Ｂは無色透明な合成樹脂材で形成され、基板収容ケース１６の外側から基板収容ケース１６の内側を見ることができるようになっている。
前記基板収容ケース１６の内側には前記パチンコ機１０の出玉数等のゲームをコントロールする制御基板１８が収容されている。この制御基板１８にはパチンコ機１０の大当たり等を決定する重要なプログラムが記録されたＲＯＭ２０をはじめとして各種電子部品が取り付けられている。
前記基板収容ケース１６にはケース本体１６Ａとケース蓋１６Ｂに跨るようにして通信回路体としてのＩＣタグ２２が貼付されている。従って、前記基板収容ケース１６のケース蓋１６Ｂを開けるためにはケース本体１６Ａとケース蓋１６Ｂに跨って貼付されているＩＣタグ２２を必ず剥がさなければならないようになっている。
図２に示されるように、このＩＣタグ２２のパッケージ体２４は透明な合成樹脂材で矩形状に形成されている。このパッケージ体２４にはアンテナ部２６が内設されている。また、前記パッケージ体２４には極めて小さくて薄いＩＣチップ２８が内設されている。このＩＣチップ２８は大量の情報を記録できるようになっている。例えば、当該パチンコ機１０が設置されている店番号や当該パチンコ機１０の台番号等の種々の情報が記録されている。また、前記ＩＣチップ２８にはパチンコ機１０の改竄検査を行った日時や改竄検査を行った担当者等も記録できるようになっている。
前記パッケージ体２４の裏面には接着剤が塗布され、前記ＩＣタグ２２を基板収容ケース１６等に貼付できるようになっている。
図１に示されるように、前記ＩＣタグ２２のＩＣチップ２８に記録されている情報は携帯型情報端末としてのＩＣ読取書込携帯端末３０で読み取ることができ、また、前記ＩＣタグ２２のＩＣチップ２８に情報をＩＣ読取書込携帯端末３０で書き込み（記録）することができるようになっている。
即ち、前記ＩＣ読取書込携帯端末３０は前記ＩＣチップ２８に記録されている情報を読み取る読取機能が内蔵され、ＩＣ読取書込携帯端末３０が電波を発信することにより前記ＩＣタグ２２のアンテナ部２６を通してＩＣチップ２８に記録されている情報を読み取ることができるようになっている。
また、前記ＩＣ読取書込携帯端末３０は前記ＩＣチップ２８の情報を読み取る機能だけでなく、改竄検査のデータ等（例えば改竄検査を行った日時や改竄検査を行った担当者等）を前記ＩＣタグ２２のＩＣチップ２８に書き込む（記録させる）ことができる機能が内蔵されている。
前記ＩＣ読取書込携帯端末３０には液晶のディスプレー部３２が形成されている。このディスプレー部３２にはＩＣ読取書込携帯端末３０が読み取った情報が表示（例えば、前記ＩＣチップ２８の情報を読み取ることができると「ＯＫ」の文字が表示され、前記ＩＣチップ２８の情報を読み取ることができないと「ＮＧ」の文字が表示される）されるようになっている。
また、前記ディスプレー部３２にはＩＣ読取書込携帯端末３０でＩＣタグ２２に書き込んだ情報も表示されるようになっている。従って、ＩＣ読取書込携帯端末３０で前記ＩＣチップ２８に改竄検査を行った検査日時や検査担当者を書き込むとディスプレー部３２にそれらも表示されるようになっている。
前記ＩＣ読取書込携帯端末３０にはスイッチボタン３４と通信ボタン３６が設けられている。。
また、前記ＩＣ読取書込携帯端末３０には操作ボタン３８が複数設けられている。この操作ボタン３８を操作することにより、改竄検査を行った日時やコード番号等で改竄検査を行った検査担当者の氏名等をＩＣ読取書込携帯端末３０を介してＩＣタグ２２のＩＣチップ２８に書き込みできるようになっている。【０００８】  次に、第１実施例の遊技機の改竄検査システムの作用を説明する。
実施例の遊技機の改竄検査システムを行う場合は、図１に示されるように予め前記ＩＣタグ２２を基板収容ケース１６のケース本体１６Ａとケース蓋１６Ｂを跨ぐようにして貼付しておく。これにより、前記基板収容ケース１６のケース蓋１６Ｂを開けるためにはＩＣタグ２２を剥がす必要がある。なお、前記基板収容ケース１６に貼付するＩＣタグ２２の枚数は限定されないが、通常は１枚乃至２枚のＩＣタグ２２を基板収容ケース１６に貼付する。
そして、改竄検査を行う場合はパチンコ店側の検査担当者はＩＣ読取書込携帯端末３０のスイッチボタン３４をオンにすると共に通信ボタン３６をオンにしてＩＣ読取書込携帯端末３０を貼付されているＩＣタグ２２に翳す。
このＩＣ読取書込携帯端末３０の読取機能がＩＣチップ２８に記録されている情報を読み取ることができると、ディスプレー部３２に「ＯＫ」の文字が表示される。これにより、検査担当者は前記基板収容ケース１６が不正に開けられた等の不正行為がなかったことを知ることができる。
なお、前記ＩＣ読取書込携帯端末３０のディスプレー部３２には既に行われた検査日時や検査担当者の氏名等の検査過去データも表示される。これにより、検査担当者は前回行われた検査日時や検査担当者を知ることができる。
検査担当者がＩＣ読取書込携帯端末３０を前記ＩＣタグ２２に翳して当該パチンコ機１０の改竄検査を行って検査が完了した場合は前記ＩＣ読取書込携帯端末３０の操作ボタン３８を操作して、改竄検査した日時やコード番号等で検査担当者の氏名等をＩＣ読取書込携帯端末３０を介してＩＣタグ２２のＩＣチップ２８に書き込んで記録する。
上記の手順でパチンコ店側の検査担当者はパチンコ機１０を順番に改竄が行われたか否かを検査すると共に改竄検査した日時や検査担当者の氏名等をＩＣ読取書込携帯端末３０を介してＩＣタグ２２のＩＣチップ２８に書き込んで記録する。
従って、本考案の遊技機の改竄検査システムは、パチンコ機１０の改竄を簡単に検査できると共に検査過去データとして過去に行われた検査日時や検査担当者名もディスプレー部３２を見ることにより知ることができるので、パチンコ店側の規則で決められた改竄検査が規則通り行われているか否かも簡単に確認することができる。【０００９】  また、例えば不正行為者がパチンコ店に忍び込んで前記基板収容ケース１６に収容されている制御基板１８に取り付けられている正規のＲＯＭ２０を改竄ＲＯＭに交換するために基板収容ケース１６のケース蓋１６Ｂを開けようとして前記ＩＣタグ２２を剥がすと前記ＩＣタグ２２に強い力が加ってＩＣタグ２２のアンテナ部２６が破損する。
この結果、パチンコ店側の検査担当者が改竄検査をするために前記ＩＣ読取書込携帯端末３０をＩＣタグ２２に翳した場合、ＩＣ読取書込携帯端末３０が前記ＩＣチップ２８の情報を読み取ろうとしても前記ＩＣタグ２２のアンテナ部２６が破損しているため通信することができない。
このため、前記ＩＣ読取書込携帯端末３０のディスプレー部３２にはＩＣチップ２８に記録されている情報を読み取れない表示「ＮＧ」の文字が表示される。
従って、検査担当者は前記ＩＣ読取書込携帯端末３０がＩＣチップ２８の情報を読み取れない場合は不正行為者が当該パチンコ機１０の基板収容ケース１６に貼付されているＩＣタグ２２を剥がして基板収容ケース１６に収容されているＲＯＭ２０を改竄ＲＯＭに交換した等の不正行為を推測できるのでパチンコ店側は早期に対応策を採ることができ、これにより当該パチンコ機１０のゲームをコントロールして多くの出玉を不正に獲得する不正行為を未然に防止することができる。
従って、本考案の遊技機の改竄検査システムを使用すれば従来のようにパチンコ機１０に設けられている基板収容ケース１６に収容されているＲＯＭ２０が改竄ＲＯＭであるか否かを基板収容ケース１６の外側から見て一々判断するような煩雑な作業を不要とすることができるので、多数のパチンコ機１０の改竄について短時間で簡単に検査することができる。
なお、例えば不正行為者がＩＣタグ２２を剥がしてＲＯＭ２０を改竄ＲＯＭに交換した後に改竄事実の発覚を遅らせるために基板収容ケース１６に不正行為者が用意したＩＣタグを貼付したとしても正規のＩＣタグ２２のＩＣチップ２８に記録されている情報と異なっている。このため、前記ＩＣ読取書込携帯端末３０をＩＣに翳してもＩＣ読取書込携帯端末３０は情報を読み取ることができないのでパチンコ店側は改竄行為があったことを確実に知ることができる。【００１０】  図３には遊技機の改竄検査システムの第２実施例が示されている。なお、第１実施例の遊技機の改竄検査システムと同一の構成は同一の符号を用いてその説明を省略する。
図３に示されるように、第２実施例の遊技機の改竄検査システムにおいては通信回路体としてのＩＣタグ３９は結束バンド４０に設けられている。このＩＣタグ３９はアンテナ部２６とＩＣチップ２８を備えている。
前記結束バンド４０の結束バンド本体４２は合成樹脂材で帯状に長く形成されている。この結束バンド本体４２の基端部４２Ａは幅広で肉厚に形成されている。この基端部４２Ａにはロック挿通口４４が貫通形成され、ロック挿通口４４には前記結束バンド本体４２の先端部４２Ｂ、中間部４２Ｃが挿通されるようになっている。
また、結束バンド本体４２の中間部４２Ｃには中間部４２Ｃの長手方向に沿って鋸刃状に形成された係合爪部４６が連続して形成されている。従って、結束バンド本体４２の中間部４２Ｃをロック挿通口４４に挿通すると係合爪部４６は前記ロック挿通口４４の内側に形成されたロック部（図示せず）と係合するようになっている。しかも、前記係合爪部４６と前記ロック挿通口４４のロック部が一旦係合すると結束バンド本体４２は締付方向にスライドさせることはできるが、反締付方向にはスライドできない構造になっている。
前記結束バンド本体４２の基端部４２Ａには矩形状片部４８が設けられている。この矩形状片部４８にはＩＣタグ３９のアンテナ部２６とＩＣチップ２８が設けられている。なお、前記アンテナ部２６は結束バンド本体４２まで延設されている。
前記結束バンド４０はパチンコ機１０の基板収容ケース１６に巻き付けて使用されるようになっている。このため、前記基板収容ケース１６のケース蓋１６Ｂを開けるには結束バンド４０の結束バンド本体４２をカッター等で切断する必要がる。
従って、不正行為者が前記基板収容ケース１６を開けようとして結束バンド４０の結束バンド本体４２を切断するとアンテナ部２６も切断されるため、前記ＩＣ読取書込携帯端末３０を翳してもディスプレー部３２にはＩＣチップ２８に記録されている情報を読み取れない表示の「ＮＧ」の文字が表示される。
この結果、検査担当者は改竄行為等の事実を簡単かつ確実に知ることができる。
なお、他の構成、作用は第１実施例の遊技機の改竄検査システムと同一であるので、その説明は省略する。【００１１】  なお、この実施例では遊技機としてパチンコ機１０を例にして説明したが、遊技機はパチンコ機１０に限定されるものでなく、例えばパチスロ機等をはじめとする他の遊技機でもよいことは勿論である。
また、実施例ではＩＣタグ２２をパチンコ機１０の基板収容ケース１６に取り付けたが、前記ＩＣタグ２２はパチンコ機１０であれば基板収容ケース１６以外の場所に取り付けてもよいことは勿論である。
なお、第１実施例ではＩＣタグ２２をパチンコ機１０の基板収容ケース１６のケース本体１６Ａとケース蓋１６Ｂに跨るようにして貼付して取り付けたが、前記ＩＣタグ２２の取付方法や取付場所はこれに限定されないことは勿論である。例えば、前記ＩＣタグ２２をパチンコ機１０のボックス体１４と基板収容ケース１６のケース本体１６Ａとケース蓋１６Ｂに跨るように貼付してもよい。
【図面の簡単な説明】
【００１２】
【図１】第１実施例の遊技機の改竄検査システムの作用状態を示す概略斜視図である。
【図２】第１実施例の遊技機の改竄検査システムに使用されるＩＣタグの平面図である。
【図３】第２実施例の遊技機の改竄検査システムに使用される結束バンドの一部省略平面図である。
【符号の説明】
【００１３】  １０    パチンコ機
１６    基板収容ケース
１８    制御基板
２０    ＲＯＭ
２２    ＩＣタグ
２４    パッケージ体
２６    アンテナ部
２８    ＩＣチップ
３０    ＩＣ読取書込携帯端末
３２    ディスプレー部
３４    スイッチボタン
３６    通信ボタン
３８    操作ボタン
【図１】
0003138463.tif 000003
【図２】
0003138463.tif 000004
【図３】
0003138463.tif 000005